(57)【要約】  【課題】低消費電力モードにおいてもＩＣカード等の情報の読み取りを可能とし、利便性を向上する。  【解決手段】通常モード、及び前記通常モードよりも低消費電力の省電力モードで動作する電子機器であって、制御部と、外部記憶媒体を読み取るリーダーを接続可能な接続インターフェイスと、を有し、前記制御部は、前記通常モードから前記省電力モードに移行する際に、前記接続インターフェイスに前記リーダーが接続されている場合、前記接続インターフェイス及び前記リーダーが動作可能な第１の省電力モードに移行し、前記接続インターフェイスに前記リーダーが接続されていない場合、前記第１の省電力モードよりも低消費電力の第２の省電力モードに移行する。【選択図】図１
2017185637.tif 000002
【特許請求の範囲】
【請求項１】
通常モード、及び前記通常モードよりも低消費電力の省電力モードで動作する電子機器
であって、
制御部と、
外部記憶媒体を読み取るリーダーを接続可能な接続インターフェイスと、を有し、
前記制御部は、前記通常モードから前記省電力モードに移行する際に、
前記接続インターフェイスに前記リーダーが接続されている場合、前記接続インターフ
ェイス及び前記リーダーが動作可能な第１の省電力モードに移行し、
前記接続インターフェイスに前記リーダーが接続されていない場合、前記第１の省電力
モードよりも低消費電力の第２の省電力モードに移行する
電子機器。
【請求項２】
請求項１に記載の電子機器であって、
前記制御部は、ＣＰＵを有し、
前記制御部は、前記第１の省電力モードにおいて、前記通常モードよりも前記ＣＰＵの
クロック数を低下させる
電子機器。
【請求項３】
請求項２に記載の電子機器であって、
前記制御部は、前記第２の省電力モードにおいて、前記ＣＰＵを停止させる
電子機器。
【請求項４】
請求項１に記載の電子機器であって、
前記制御部は、前記第１の省電力モードにおいて、前記外部記憶媒体の読み取りをトリ
ガーとして前記接続インターフェイスから出力される信号を検出した場合、前記第１の省
電力モードから前記通常モードに移行する
電子機器。
【請求項５】
請求項１に記載の電子機器であって、
外部機器と無線通信する無線通信部を有し、
前記制御部は、前記通常モードから前記省電力モードに移行する際に、
前記接続インターフェイスに前記リーダーが接続されておらず、かつ、前記無線通信部
の無線接続が有効である場合、前記第１の省電力モードよりも低消費電力かつ前記第２の
省電力モードより高消費電力の第３の省電力モードに移行する
電子機器。
【請求項６】
請求項１に記載の電子機器であって、
外部機器と無線通信する無線通信部を有し、
前記制御部は、前記通常モードから前記省電力モードに移行する際に、
前記接続インターフェイスに前記リーダーが接続されておらず、かつ、前記無線通信部
の無線接続が無効である場合、前記第２の省電力モードに移行する
電子機器。
【請求項７】
請求項１に記載の電子機器であって、
前記制御部は、前記通常モードから前記第１の省電力モード又は前記第２の省電力モー
ドに移行する前に、前記通常モードよりも低消費電力かつ前記第１の省電力モードよりも
高消費電力の第４の省電力モードに移行し、前記リーダーが前記接続インターフェイスに
接続されているか否かを判定する
電子機器。
【請求項８】
通常モード、及び前記通常モードよりも低消費電力の省電力モードで動作する電子機器
の制御方法であって、
前記電子機器は、外部記憶媒体を読み取るリーダーを接続可能な接続インターフェイス
を有し、
前記電子機器は、前記通常モードから前記省電力モードに移行する際に、
前記接続インターフェイスに前記リーダーが接続されている場合、前記接続インターフ
ェイス及び前記リーダーが動作可能な第１の省電力モードに移行し、
前記接続インターフェイスに前記リーダーが接続されていない場合、前記第１の省電力
モードよりも低消費電力の第２の省電力モードに移行する
制御方法。
【発明の詳細な説明】
【技術分野】
【０００１】
本発明は、電子機器、及び制御方法に関する。
【背景技術】
【０００２】
例えば、特許文献１は、ＣＰＵ機能のほぼ全てが停止して消費電力を低減する低消費電
力モードを有する画像形成装置を開示している。この画像形成装置は、プリント指示を受
けた場合に、低消費電力モードを解除する。
【先行技術文献】
【特許文献】
【０００３】
【特許文献１】特開２０１５−３４９２７号公報
【発明の概要】
【発明が解決しようとする課題】
【０００４】
近年のプリンターは、ＩＣ（Integrated Circuit）カードから情報を読み取るためのリ
ーダーを備えるものがある。このようなプリンターは、低消費電力モードにおいて、リー
ダーへの電力供給を停止する。そのため、低消費電力モードのプリンターは、ＩＣカード
から情報を読み取ることができない。ＩＣカードをプリンターに読み取らせるためには、
ユーザーは、プリンターを起動する（低消費電力モードを解除する）ための何らかの操作
を行う必要がある。
【０００５】
本発明の目的は、低消費電力モードにおいてもＩＣカード等の情報の読み取りを可能と
し、利便性を向上することにある。
【課題を解決するための手段】
【０００６】
上記の課題を解決するための本発明の一態様は、通常モード、及び前記通常モードより
も低消費電力の省電力モードで動作する電子機器であって、制御部と、外部記憶媒体を読
み取るリーダーを接続可能な接続インターフェイスと、を有し、前記制御部は、前記通常
モードから前記省電力モードに移行する際に、前記接続インターフェイスに前記リーダー
が接続されている場合、前記接続インターフェイス及び前記リーダーが動作可能な第１の
省電力モードに移行し、前記接続インターフェイスに前記リーダーが接続されていない場
合、前記第１の省電力モードよりも低消費電力の第２の省電力モードに移行する。これに
より、電子機器は、低消費電力状態でＩＣカード等の情報の読み取ることができ、利便性
を向上することができる。
【０００７】
上記の電子機器において、前記制御部は、ＣＰＵを有し、前記制御部は、前記第１の省
電力モードにおいて、前記通常モードよりも前記ＣＰＵのクロック数を低下させてもよい
。これにより、電子機器は、低消費電力状態でリーダーからの信号を検出することができ
る。
【０００８】
上記の電子機器において、前記制御部は、前記第２の省電力モードにおいて、前記ＣＰ
Ｕを停止させてもよい。これにより、電子機器は、より低消費電力の状態に移行すること
ができる。
【０００９】
上記の電子機器において、前記制御部は、前記第１の省電力モードにおいて、前記外部
記憶媒体の読み取りをトリガーとして前記接続インターフェイスから出力される信号を検
出した場合、前記第１の省電力モードから前記通常モードに移行してもよい。これにより
、電子機器は、低消費電力状態でＩＣカード等の情報を読み取った後、その情報に応じた
処理を実行することができる。
【００１０】
上記の電子機器は、外部機器と無線通信する無線通信部を有し、前記制御部は、前記通
常モードから前記省電力モードに移行する際に、前記接続インターフェイスに前記リーダ
ーが接続されておらず、かつ、前記無線通信部の無線接続が有効である場合、前記第１の
省電力モードよりも低消費電力かつ前記第２の省電力モードより高消費電力の第３の省電
力モードに移行してもよい。これにより、電子機器は、無線接続が有効である場合には、
低消費電力状態で無線接続を介して情報を受信することができる。
【００１１】
上記の電子機器は、外部機器と無線通信する無線通信部を有し、前記制御部は、前記通
常モードから前記省電力モードに移行する際に、前記接続インターフェイスに前記リーダ
ーが接続されておらず、かつ、前記無線通信部の無線接続が無効である場合、前記第２の
省電力モードに移行してもよい。これにより、電子機器は、無線接続が無効である場合に
は、より低消費電力の状態に移行することができる。
【００１２】
上記の電子機器において、前記制御部は、前記通常モードから前記第１の省電力モード
又は前記第２の省電力モードに移行する前に、前記通常モードよりも低消費電力かつ前記
第１の省電力モードよりも高消費電力の第４の省電力モードに移行し、前記リーダーが前
記接続インターフェイスに接続されているか否かを判定してもよい。これにより、電子機
器は、第１の省電力モード又は第２の省電力モードに移行する前に、低消費電力状態で判
定を行うことができる。
【００１３】
上記の課題を解決するための本発明の他の態様は、通常モード、及び前記通常モードよ
りも低消費電力の省電力モードで動作する電子機器の制御方法であって、前記電子機器は
、外部記憶媒体を読み取るリーダーを接続可能な接続インターフェイスを有し、前記電子
機器は、前記通常モードから前記省電力モードに移行する際に、前記接続インターフェイ
スに前記リーダーが接続されている場合、前記接続インターフェイス及び前記リーダーが
動作可能な第１の省電力モードに移行し、前記接続インターフェイスに前記リーダーが接
続されていない場合、前記第１の省電力モードよりも低消費電力の第２の省電力モードに
移行する。これにより、電子機器は、低消費電力状態でＩＣカード等の情報の読み取るこ
とができ、利便性を向上することができる。
【図面の簡単な説明】
【００１４】
【図１】本発明の一実施形態に係るプリンターの構成の一例を示すブロック図である。
【図２】同実施形態に係るプリンターの動作状態の遷移例を示す状態遷移図である。
【図３】同実施形態に係るプリンターの動作の一例を示すフローチャートである。
【発明を実施するための形態】
【００１５】
本発明の一実施形態について、図面を参照して説明する。本実施形態は、電子機器の一
例であるプリンターに関する。
【００１６】
図１は、本発明の一実施形態に係るプリンターの構成の一例を示すブロック図である。
【００１７】
プリンター１は、コントローラー２（本発明の「制御部」に相当する）と、印刷エンジ
ン４と、無線通信部５と、操作パネル６と、接続インターフェイス７（接続Ｉ／Ｆ）とを
有する。本実施形態のプリンター１は、ユーザーオプションとしてリーダー８を接続する
ことができる。
【００１８】
コントローラー２は、プリンター１の動作を統合的に制御する。コントローラー２は、
例えば、ＣＰＵ（Central Processing Unit）等の演算装置を備えるＳｏＣ３（System on
a Chip）、ＲＡＭ（Random Access Memory）等の揮発性の記憶装置、ＲＯＭ（Read Only
Memory）等の不揮発性の記憶装置、コントローラー２と他のユニットを接続するインタ
ーフェイス回路、これらを互いに接続するバス、などを備えるコンピューターによって実
現することができる。もちろん、コントローラー２は、画像処理回路など各種の処理回路
を備えていてもよい。ＳｏＣ３は、例えば、メインＣＰＵ３１と、サブＣＰＵ３２とを備
える。サブＣＰＵ３２は、例えば、メインＣＰＵ３１よりも小さい回路規模を有し、メイ
ンＣＰＵ３１よりも低消費電力で動作する。
【００１９】
上記のコントローラー２の機能の少なくとも一部は、例えば、ＣＰＵがＲＯＭに格納さ
れた１つ以上のプログラムをＲＡＭに読み出して実行することによって実現することがで
きる。各プログラムは、例えば持ち運び可能な記憶媒体から読み出してプリンター１にイ
ンストールしたり、ネットワーク上のサーバーからダウンロードしてプリンター１にイン
ストールしたりすることができる。コントローラー２の機能の少なくとも一部は、例えば
、画像処理回路等の処理回路によって実現してもよい。コントローラー２の機能の少なく
とも一部は、例えば、ＣＰＵ及び処理回路の両方によって実現されてもよい。
【００２０】
印刷エンジン４は、コントローラー２からの指示に従って印刷媒体に画像を形成する。
印刷エンジン４は、例えば、インクジェット方式、レーザー方式等の方式の印刷エンジン
であり、機械部品、センサー、モーター、駆動回路、制御回路等により構成される。
【００２１】
無線通信部５は、例えば、無線ＬＡＮ規格であるＷｉ−Ｆｉ規格に準拠した通信機能を
実装した通信モジュールである。コントローラー２は、無線通信部５を介して、ＰＣ（Pe
rsonal Computer）等の外部機器と通信することができる。
【００２２】
操作パネル６は、ユーザーの操作入力を受け付け、操作に応じた操作信号をコントロー
ラー２に出力する。また、操作パネル６は、コントローラー２の処理結果を、文字、グラ
フ、表、アニメーション、その他の画像として表示する。操作パネル６は、コントローラ
ー２の処理結果を、音声出力してもよい。操作パネル６は、例えば、キー、タッチセンサ
ー、タッチパネルなどを含む入力装置と、例えば、ＬＣＤ（Liquid Crystal Display）、
ＯＬＥＤ（Organic Electro-Luminescence Display）、スピーカーなどを含む出力装置と
によって実現することができる。
【００２３】
接続Ｉ／Ｆ７は、リーダー８を接続するためのインターフェイスであり、例えば、ＵＳ
Ｂ（Universal Serial Bus）規格に準拠した接続及び通信を行うインターフェイス装置で
ある。コントローラー２は、接続Ｉ／Ｆ７を介してリーダー８を制御し、リーダー８から
読取データを取得する。コントローラー２は、リーダー８を使って、例えば、ユーザー認
証等の機能を実現する。接続Ｉ／Ｆ７は、リーダー８の替わりにリーダー／ライターを接
続してもよい。
【００２４】
リーダー８は、外部記憶媒体から情報を読み取る読取装置である。リーダー８は、例え
ば、ＩＣ（Integrated Circuit）カード８１等に搭載されたＩＣチップと、接触してある
いは非接触で通信を行う。リーダー８は、例えば、ＮＦＣ（Near Field Communication）
規格に準拠していてもよい。リーダー８は、例えば、ＩＣチップが近付けられると、電磁
誘導により電力をＩＣチップに供給して動作させることができる。また、リーダー８は、
ＩＣチップからデータを読み取って、接続Ｉ／Ｆ７に出力する。
【００２５】
本実施形態のプリンター１は、複数の動作状態（「動作モード」ともいう）で動作する
ことができる。動作状態は、消費電力の高い順に、例えば、下記の５つの状態を含む。ク
ロックダウン状態（３）の消費電力は、クロックダウン状態（４）と同じであってもよい
。
（１）アイドル状態（本発明の「通常モード」に相当する）
（２）スリープ状態（本発明の「第４の省電力モード」に相当する）
（３）クロックダウン状態（本発明の「第１の省電力モード」に相当する）
（４）クロックダウン状態（本発明の「第３の省電力モード」に相当する）
（５）ディープスリープ状態（本発明の「第２の省電力モード」に相当する）
【００２６】
アイドル状態（１）は、例えば、プリンター１が印刷指示を受け付けて即印刷処理を実
行可能な待機状態である。例えば、コントローラー２、印刷エンジン４、無線通信部５、
操作パネル６、及び接続Ｉ／Ｆ７には、電源から電力が供給され、いつでも使える状態で
ある。無線通信部５は、例えば、ＡＰ（Access Point）と無線接続を確立しており、ＰＣ
等と無線通信可能な状態である。リーダー８は、例えば、接続Ｉ／Ｆ７から電力が供給さ
れる。
【００２７】
スリープ状態（２）は、例えば、プリンター１の一部のユニットが省電力状態に設定さ
れた状態である。例えば、印刷エンジン４、及び操作パネル６は、省電力状態に設定され
る。印刷エンジン４は、例えば、一部の機構を停止状態にする。操作パネル６は、例えば
、操作パネル６のディスプレイのバックライトを消灯する。
【００２８】
クロックダウン状態（３）及び（４）は、例えば、スリープ状態に加え、メインＣＰＵ
３１の動作クロック数がアイドル状態及びスリープ状態よりも低下した状態である。メイ
ンＣＰＵ３１は、例えば、アイドル状態から１０分の１以下に動作クロック数を低下させ
る。クロックダウン状態（４）では、さらに、接続Ｉ／Ｆ７が省電力状態あるいは電源オ
フ状態に設定されてもよい。
【００２９】
ディープスリープ状態（５）は、例えば、プリンター１の一部のユニットが電源オフ状
態に設定され、メインＣＰＵ３１も電源オフ状態に設定された状態である。例えば、印刷
エンジン４、操作パネル６、接続Ｉ／Ｆ７、コントローラー２の備えるＲＡＭ等の記憶装
置、及びメインＣＰＵ３１は、電源オフ状態に設定される。無線通信部５は、例えば、省
電力状態に設定される。この状態では、サブＣＰＵ３２は、起動しており、例えば、電源
ボタン等の所定ボタンの操作、無線通信部５から出力される所定信号（例えば、無線ＬＡ
Ｎからのウェイクアップ信号に応じて出力される信号）等を監視している。
【００３０】
ＳｏＣ３は、上述のプリンター１の各動作状態の遷移を制御する。この点については、
以下に詳述する。
【００３１】
図２は、プリンターの各動作状態の遷移例を示す状態遷移図である。
【００３２】
アイドル状態（１）とスリープ状態（２）は、相互に遷移可能である。スリープ状態（
２）とクロックダウン状態（３）は、相互に遷移可能である。スリープ状態（２）とクロ
ックダウン状態（４）は、相互に遷移可能である。スリープ状態（２）とディープスリー
プ状態（５）は、相互に遷移可能である。状態（３）、（４）又は（５）から状態（１）
に戻るためには、状態（２）を経由する必要がある。
【００３３】
図３は、プリンターの動作の一例を示すフローチャートである。図３は、プリンター１
の動作状態の遷移を制御するコントローラー２の処理を示している。
【００３４】
プリンター１が電源オンにされると、コントローラー２は、アイドル状態（１）に遷移
する（ステップＳ１）。例えば、コントローラー２、印刷エンジン４、無線通信部５、操
作パネル６、及び接続Ｉ／Ｆ７は、電力が供給され、起動する。接続Ｉ／Ｆ７にリーダー
８が接続されている場合、リーダー８は接続Ｉ／Ｆ７から電力が供給される。
【００３５】
アイドル状態（１）のコントローラー２は、イベントを監視する（ステップＳ２）。例
えば、メインＣＰＵ３１は、印刷指示等の処理要求をイベントとして監視する。処理要求
を検出した場合（ステップＳ２でＹ）、メインＣＰＵ３１は、当該処理要求に応じた処理
（例えば、印刷処理）を実行し、監視を続行する。一方、所定時間（例えば、５分）以上
の間、処理要求を検出しなかった場合（ステップＳ２でＮ）、メインＣＰＵ３１は、処理
をステップＳ３に進める。
【００３６】
所定時間以上の間イベントが検出されなかった場合（ステップＳ２でＮ）、コントロー
ラー２は、スリープ状態（２）に移行する（ステップＳ３）。例えば、メインＣＰＵ３１
は、上述したようにプリンター１の一部のユニットを省電力状態に設定する。
【００３７】
それから、コントローラー２は、リーダー８が接続されているかどうか判定する（ステ
ップＳ４）。例えば、メインＣＰＵ３１は、接続Ｉ／Ｆ７に接続されているデバイスを検
出する。
【００３８】
リーダー８が接続されていると判定した場合（ステップＳ４でＹ）、コントローラー２
は、クロックダウン状態（３）に移行する（ステップＳ５）。例えば、メインＣＰＵ３１
は、上述したようにメインＣＰＵ３１の動作クロック数を低下させる。
【００３９】
リーダー８が接続されていないと判定した場合（ステップＳ４でＮ）、コントローラー
２は、無線接続が有効であるか否かを判定する（ステップＳ６）。例えば、メインＣＰＵ
３１は、プリンター１の設定においてＷｉ−Ｆｉ機能がオンに設定されているかどうかを
判定する。
【００４０】
無線接続が有効であると判定した場合（ステップＳ６でＹ）、コントローラー２は、ク
ロックダウン状態（４）に移行する（ステップＳ７）。例えば、メインＣＰＵ３１は、上
述したようにメインＣＰＵ３１の動作クロック数を低下させる。メインＣＰＵ３１は、接
続Ｉ／Ｆ７を省電力状態あるいは電源オフ状態に設定してもよい。
【００４１】
クロックダウン状態（３）又は（４）のコントローラー２は、イベントを監視する（ス
テップＳ８）。例えば、メインＣＰＵ３１は、リーダー８が接続されている場合、接続Ｉ
／Ｆ７からＩＣカード８１のデータの読み取りをトリガーとして出力される所定の信号を
イベントとして監視する（クロックダウン状態（３））。また、例えば、メインＣＰＵ３
１は、無線接続が有効である場合、無線通信部５から出力される印刷指示等の処理要求を
イベントとして監視する（クロックダウン状態（３）又は（４））。また、例えば、メイ
ンＣＰＵ３１は、操作パネル６が操作されたか否かを監視する（クロックダウン状態（３
）又は（４））。イベントを検出していない間（ステップＳ８でＮ）、メインＣＰＵ３１
は、ステップＳ８の処理を実行する。
【００４２】
イベントを検出した場合（ステップＳ８でＹ）、コントローラー２は、スリープ状態（
２）に移行する（ステップＳ９）。例えば、メインＣＰＵ３１は、メインＣＰＵ３１の動
作クロック数をアイドル状態の所定クロック数まで上昇させる。リーダー８が接続されて
いない場合（クロックダウン状態（４）から復帰する場合）、メインＣＰＵ３１は、接続
Ｉ／Ｆ７を通常状態あるいは省電力状態に設定してもよい。
【００４３】
それから、コントローラー２は、アイドル状態（１）に移行する（ステップＳ１０）。
例えば、メインＣＰＵ３１は、プリンター１の一部の省電力状態のユニットを通常状態に
設定する。それから、メインＣＰＵ３１は、ステップＳ８で検出されたイベントに応じた
処理（例えば、印刷処理、ユーザー認証処理等）を実行し、再びステップＳ２の処理を実
行する。
【００４４】
一方、無線接続が有効でないと判定した場合（ステップＳ６でＮ）、コントローラー２
は、ディープスリープ状態（５）へ移行する（ステップＳ１１）。例えば、メインＣＰＵ
３１は、例えば、プリンター１の一部のユニットを電源オフ状態に設定し、メインＣＰＵ
３１も電源オフに設定する。
【００４５】
ディープスリープ状態（５）のコントローラー２は、イベントを監視する（ステップＳ
１２）。例えば、サブＣＰＵ３２は、無線通信部５から出力される所定信号をイベントと
して監視する。また、例えば、サブＣＰＵ３２は、電源ボタン等の所定ボタンの操作をイ
ベントとして監視する。イベントを検出していない間（ステップＳ１２でＮ）、サブＣＰ
Ｕ３２は、ステップＳ１２の処理を実行する。
【００４６】
イベントを検出した場合（ステップＳ１２でＹ）、コントローラー２は、スリープ状態
（２）に移行する（ステップＳ１３）。例えば、サブＣＰＵ３２は、メインＣＰＵ３１を
起動する。また、例えば、起動したメインＣＰＵ３１は、プリンター１の一部の電源オフ
状態のユニットを起動して省電力状態に設定する。
【００４７】
それから、コントローラー２は、アイドル状態（１）に移行する（ステップＳ１４）。
例えば、メインＣＰＵ３１は、プリンター１の一部の省電力状態のユニットを通常状態に
設定する。それから、メインＣＰＵ３１は、再びステップＳ２の処理を実行する。
【００４８】
以上、本発明の一実施形態について説明した。例えば、本実施形態のプリンター１は、
省電力モードに移行する際に、リーダー８が接続されていればリーダー８が動作可能なク
ロックダウン状態（３）に移行し、リーダー８が接続されていなければより低消費電力の
ディープスリープ状態（５）に移行する。これにより、プリンター１は、低消費電力状態
でＩＣカード等の情報の読み取ることができ、利便性を向上することができる。
【００４９】
また、例えば、プリンター１は、クロックダウン状態（３）において、メインＣＰＵ３
１のクロック数を低下させる。これにより、メインＣＰＵ３１は、低消費電力状態でリー
ダー８からの信号を検出することができる。また例えば、プリンター１は、ディープスリ
ープ状態（５）において、メインＣＰＵ３１を停止させる。これにより、プリンター１は
、より低消費電力の状態に移行することができる。
【００５０】
また、例えば、プリンター１は、クロックダウン状態（３）において、リーダー８から
の信号を検出した場合に、通常モードに移行する。これにより、プリンター１は、低消費
電力状態でＩＣカード等の情報を読み取った後、その情報に応じた処理を実行することが
できる。
【００５１】
また、例えば、プリンター１は、省電力モードに移行する際に、リーダー８が接続され
ておらず且つ無線接続が有効である場合には、リーダー８が動作可能なクロックダウン状
態（４）に移行し、リーダー８が接続されておらず且つ無線接続が無効である場合には、
より低消費電力のディープスリープ状態（５）に移行する。これにより、プリンター１は
、無線接続が有効である場合には、低消費電力状態で無線接続を介して情報を受信するこ
とができる。また、プリンター１は、無線接続が無効である場合には、より低消費電力の
状態に移行することができる。
【００５２】
また、例えば、プリンター１は、省電力モードに移行する際に、スリープ状態（２）に
移行し、リーダー８が接続されているかどうかを判定する。これにより、プリンター１は
、クロックダウン状態（３）、クロックダウン状態（４）、又はディープスリープ状態（
５）に移行する前に、低消費電力状態で判定を行うことができる。
【００５３】
本発明は、上述の実施形態に限られるものではなく、その要旨を逸脱しない範囲におい
て種々の態様で実施することが可能である。例えば、上記の各実施形態には、下記のよう
な変形を加えてもよい。また、実施形態及び各変形例は、適宜２つ以上を組み合わせても
よい。
【００５４】
例えば、メインＣＰＵ３１は、ステップＳ３のスリープ状態（３）に移行した後、イベ
ントを監視してもよい。所定時間（例えば、５分）以上の間イベントを検出しなかった場
合、メインＣＰＵ３１は、ステップＳ４の処理を実行すればよい。イベントを検出した場
合は、メインＣＰＵ３１は、アイドル状態（１）に移行し、イベントに応じた処理を実行
すればよい。
【００５５】
例えば、ステップＳ６及びＳ７は、省略してもよい。すなわち、メインＣＰＵ３１は、
リーダー８が接続されていないと判定した場合に（ステップＳ４でＮ）、処理をステップ
Ｓ１１に進めればよい。
【００５６】
上述の実施形態で説明したプリンター１の構成は、その構成を理解容易にするために主
な処理内容に応じて分類したものである。構成要素の分類の仕方や名称によって、本願発
明が制限されることはない。プリンター１の構成は、処理内容に応じて、さらに多くの構
成要素に分類することもできる。また、１つの構成要素がさらに多くの処理を実行するよ
うに分類することもできる。また、各構成要素の処理は、１つのハードウェアで実行され
てもよいし、複数のハードウェアで実行されてもよい。また、各構成要素の処理又は機能
の分担は、本発明の目的及び効果を達成できるのであれば、上述したものに限られない。
【００５７】
上述の実施形態で説明したフローチャートの処理単位は、プリンター１の処理を理解容
易にするために、主な処理内容に応じて分割したものである。処理単位の分割の仕方や名
称によって、本願発明が制限されることはない。プリンター１の処理は、処理内容に応じ
て、さらに多くの処理単位に分割することもできる。また、１つの処理単位がさらに多く
の処理を含むように分割することもできる。さらに、上記のフローチャートの処理順序も
、図示した例に限られるものではない。
【００５８】
本発明の電子機器は、プリンターに限られない。電子機器は、スキャナー、マルチファ
ンクションプリンター、プロジェクター、テレビ、ビデオレコーダー等の、複数の動作状
態を有し、リーダーを接続可能な機器を含むことができる。
【符号の説明】
【００５９】
１…プリンター、２…コントローラー、３…ＳｏＣ、４…印刷エンジン、５…無線通信部
、６…操作パネル、７…接続インターフェイス、８…リーダー、８１…ＩＣカード
【図１】
2017185637.tif 000003
【図２】
2017185637.tif 000004
【図３】
2017185637.tif 000005